【手続補正書】
【提出日】平成23年6月20日(2011.6.20)
【手続補正１】
【補正対象書類名】特許請求の範囲
【補正対象項目名】全文
【補正方法】変更
【補正の内容】
【特許請求の範囲】
【請求項１】
コンピュータ化された旅行システムであって、当該旅行システムのエンド・ユーザに旅行目的地ごとにアドバイスおよび警告を提供するためのシステムにおいて、当該システムは、  エンド・ユーザから照会を受け取り、照会された旅行目的地に関する旅行アドバイスおよび警告のマージされたレポートを引き渡す、クライアント・サービス・モジュールと、  複数のオンラインの信頼できる旅行ソースからダウンロードされた個々の旅行アドバイス文書を、セクション、セクション見出し、および段落を含む共通フォーマッティング構造を共有するタグ除去済み文書へと解析し、個々の旅行アドバイス文書においてタグを選択し、タグの間からテキスト部分を抽出する、ダウンロードおよび解析モジュールと、  前記タグ除去済み文書を旅行目的地ごとの旅行アドバイスおよび警告のマージされたレポートへと統合する、アルゴリズム・モジュールと、  前記タグ除去済み文書および前記マージされたレポートを含む、前記旅行システムを動作させるためのすべての旅行情報およびコントロールを格納して取り出すための、リレーショナル・データベースと、  前記マージされたレポートの作成および当該旅行システムの前記エンド・ユーザへの引渡しを管理および制御する、管理モジュールと、を含み、  前記アルゴリズム・モジュールによる、前記タグ除去済み文書の前記マージされたレポートへの前記統合は、  ｉ）  すべての前記タグ除去済み文書から、統合が実行される起点となるベース文書を選択すること、  ｉｉ）  前記ベース文書のセクション見出しを前記マージされたレポートのセクション見出しとして用いることで、前記マージされたレポートのセクションを生成すること、  ｉｉｉ）  前記ベース文書から、前記ベース文書の各セクションの段落を抽出して、前記ベース文書から抽出した前記段落を、前記マージされたレポートにおいて、前記ベース文書の該セクションのセクション見出しに対応するセクション見出しの下に挿入すること、  ｉｖ）  前記ベース文書以外の前記タグ除去済み文書のセクション見出しを、前記ベース文書のセクション見出しと比較することで、類似性値を決定すること、  ｖ）  類似性しきい値を定義し、前記ベース文書のセクションと前記ベース文書以外のタグ除去済み文書のセクションとからなり、かつ、前記類似性しきい値を超える類似性値となる、匹敵するセクションのペアを決定すること、  ｖｉ）  匹敵するセクションの各ペアについて、          前記ベース文書以外のタグ除去済み文書の該セクションの段落と、前記ベース文書の該セクションの段落とを比較することにより、類似性スコアを決定し、          前記ベース文書以外のタグ除去済み文書の該セクションの段落を、前記ベース文書の該セクションの最も高い類似性スコアを返した段落の隣に配置し、前記マージされたレポートに挿入すること、により実行される、システム。
【請求項２】
匹敵するセクションは、それらのセクション見出しの内容に基づいて判定されることを特徴とする請求項１に記載のシステム。
【請求項３】
匹敵するセクションの意味論的に近い段落は、前記マージされたレポートの対応するセクション内で互いの隣に配置されることを特徴とする請求項１に記載のシステム。
【請求項４】
タグ除去済み文書段落の意味論的類似性は、段落あたりの内容を伴うキーワードの減らされた集合に基づいて評価され、類似性スコアは、対応するベース段落に対して計算されることを特徴とする請求項３に記載のシステム。
【請求項５】
前記マージされたレポートのセクション内における前記段落の挿入は、その類似性スコアに応じて実行されることを特徴とする請求項４に記載のシステム。
【請求項６】
前記アルゴリズム・モジュールは、前記旅行アドバイスおよび警告の一部だけを印刷または表示するために前記旅行アドバイス文書のいずれの内容をもさらにフィルタリングすることを特徴とする請求項１に記載のシステム。
【請求項７】
フィルタリングは、推奨およびイベントのフィルタリングを含む意味論的フィルタに基づいて実行されることを特徴とする請求項６に記載のシステム。
【請求項８】
複数の個々の旅行アドバイス文書からのアドバイスおよび警告を統合する旅行システムにおける方法であって、  コンピュータにより、エンド・ユーザから、旅行目的地についてのアドバイスおよび警告の照会を受け取るステップ、  コンピュータにより、前記旅行システムのデータベースからテキスト部分を含む個々の旅行アドバイス文書を得るステップ、  セクション、セクション見出し、および段落を含む共通フォーマッティング構造を提供するステップ、  コンピュータにより、前記個々の旅行アドバイス文書を解析するステップであって、各旅行アドバイス文書において、タグを選択し、タグの間からテキスト部分を抽出することを含む解析ステップにより、前記共通フォーマッティング構造を共有するタグ除去済み文書を得ること、  コンピュータにより、前記タグ除去済み文書を、前記旅行目的地についての旅行アドバイスおよび警告のマージされたレポートへと統合するステップ、  コンピュータにより、前記旅行目的地に関する旅行アドバイスおよび警告の前記マージされたレポートを前記旅行システムの前記エンド・ユーザに引き渡すステップ、を含み、  前記統合するステップはさらに、    ｉ）  すべての前記タグ除去済み文書から、統合が実行される起点となるベース文書を選択するステップと、  ｉｉ）  前記ベース文書のセクション見出しを前記マージされたレポートのセクション見出しとして用いることで、前記マージされたレポートのセクションを生成するステップと、  ｉｉｉ）  前記ベース文書から、前記ベース文書の各セクションの段落を抽出して、前記ベース文書から抽出した前記段落を、前記マージされたレポートにおいて、前記ベース文書の該セクションのセクション見出しに対応するセクション見出しの下に挿入するステップと、  ｉｖ）  前記ベース文書以外の前記タグ除去済み文書のセクション見出しを、前記ベース文書のセクション見出しと比較することで、類似性値を決定するステップと、  ｖ）  類似性しきい値を定義し、前記ベース文書のセクションと前記ベース文書以外のタグ除去済み生文書のセクションとからなり、かつ、前記類似性しきい値を超える類似性値となる、匹敵するセクションのペアを決定するステップと、  ｖｉ）  匹敵するセクションの各ペアについて、          前記ベース文書以外のタグ除去済み文書の該セクションの段落と、前記ベース文書の該セクションの段落とを比較することにより、類似性スコアを決定し、          前記ベース文書以外のタグ除去済み文書の該セクションの段落を、前記ベース文書の該セクションの最も高い類似性スコアを返した段落の隣に配置し、前記マージされたレポートに挿入するステップと、を含む、方法。
【請求項９】
前記データベースから個々の旅行アドバイス文書を得る前記ステップは、文書が前記データベース内で使用可能ではないか、または古い場合に、旅行アドバイスおよび警告の信頼できるデータ・ソースのマスタ・テーブルを作成または更新するステップと、前記マスタ・テーブルにリストされた前記信頼できるデータ・ソースから前記生文書をダウンロードするステップとによって置換されることを特徴とする請求項８に記載の方法。
【請求項１０】
前記統合するステップは、前記マージされたレポートを作るのに使用される前記ベース文書に関して、前記タグ除去済み文書のどのセクションが匹敵するかをそれらのセクション見出しに基づいて判定するステップと、匹敵するセクション内の各段落内容を比較するステップであって、ベース文書の現在の段落内の内容を伴うキーワードを識別するステップと、タグ除去済み文書の比較される段落内の内容を伴うキーワードを識別するステップと、段落類似性を評価するためにベクトル空間を識別するステップと、類似性スコアを入手するために段落類似性を測定するステップとをさらに含む、比較するステップと、前記比較された段落をその類似性スコアに応じて前記マージされたレポートに挿入するステップとをさらに含むことを特徴とする請求項８に記載の方法。
【請求項１１】
前記旅行アドバイス文書のいずかの内容が、前記旅行アドバイスおよび警告の一部だけを印刷または表示するためにさらにフィルタリングされることを特徴とする請求項８に記載の方法。
【請求項１２】
前記フィルタリングするステップは、推奨およびイベントのフィルタリングを含む意味論的フィルタを基礎とするフィルタリングを含むことを特徴とする請求項１１に記載の方法。
【請求項１３】
コンピュータ可読記憶媒体上に格納されているコンピュータ・プログラム製品であって、少なくとも１つのコンピュータに請求項８に記載の旅行アドバイスおよび警告を統合する方法を運用させるためのコンピュータ可読コード手段を含むことを特徴とするコンピュータ・プログラム製品。
【請求項１４】
匹敵するセクションは、セクション見出しの内容に基づいて判定されることを特徴とする請求項１に記載のシステム。
【請求項１５】
匹敵するセクションの意味論的に近い段落は、前記マージされたレポートの対応するセクション内で互いの隣に配置されることを特徴とする請求項１に記載のシステム。
【請求項１６】
匹敵するセクションの意味論的に近い段落は、前記マージされたレポートの対応するセクション内で互いの隣に配置されることを特徴とする請求項２に記載のシステム。
【請求項１７】
前記旅行アドバイス文書のいずかの内容が、前記旅行アドバイスおよび警告の一部だけを印刷または表示するためにさらにフィルタリングされることを特徴とする請求項９に記載の方法。
【請求項１８】
前記旅行アドバイス文書のいずかの内容が、前記旅行アドバイスおよび警告の一部だけを印刷または表示するためにさらにフィルタリングされることを特徴とする請求項１０に記載の方法。
【請求項１９】
前記ベース文書が、エンド・ユーザの市民権のある国の大使館から供給されたものであることを特徴とする請求項１に記載の方法。
【請求項２０】
前記ベース文書が、エンド・ユーザの市民権のある国の大使館から供給されたものであることを特徴とする請求項８に記載の方法。